(57)【要約】      （修正有）【課題】商用電源の定格値にかかわらず、各種の負荷を共通化して部品管理や工程管理を簡素化し、製造コストを低減可能な自動販売機を提供する。【解決手段】商品収納庫内に収容された商品Ｇを商品取出口に払い出す商品払出負荷ＳＬと、商品収納庫内に収容された商品を冷却または加温する温調負荷ＨＴ，ＣＭＰと、商品選択装置から入力される操作情報に基づいて、商品収納庫に収容された複数種類の商品から対応する商品を払い出すように商品払出負荷を制御する制御装置２５と、商品払出負荷、温調負荷、及び制御装置に給電する電源装置３０と、を備えている自動販売機であって、電源装置３０は商用電源から入力される交流電圧を所定の直流電圧に変換するコンバータ回路Ｒ１，Ｒ２を含み、少なくとも商品払出負荷及び温調負荷はコンバータ回路Ｒ１，Ｒ２から出力される直流電圧により駆動されるように構成されている。【選択図】図４
2013200587.tif 000002
【特許請求の範囲】
【請求項１】
商品収納庫内に収容された商品を商品取出口に払い出す商品払出負荷と、
前記商品収納庫内に収容された商品を冷却または加温する温調負荷と、
商品選択装置から入力される操作情報に基づいて、前記商品収納庫に収容された複数種類の商品から対応する商品を払い出すように前記商品払出負荷を制御する制御装置と、
前記商品払出負荷、温調負荷、及び制御装置に給電する電源装置と、
を備えている自動販売機であって、
前記電源装置は商用電源から入力される交流電圧を所定の直流電圧に変換するコンバータ回路を含み、少なくとも前記商品払出負荷及び温調負荷は前記コンバータ回路から出力される直流電圧により駆動されるように構成されている自動販売機。
【請求項２】
前記商品払出負荷または温調負荷の少なくとも一方には交流電圧で駆動される交流負荷が含まれ、前記コンバータ回路から出力される直流電圧により前記交流負荷を駆動するための駆動電圧制御回路が設けられている請求項１記載の自動販売機。
【請求項３】
前記温調負荷にはコンプレッサを備えたヒートポンプ回路が含まれ、前記コンプレッサは前記コンバータ回路から出力される直流電圧を所定周波数の交流電圧に変換するインバータ回路を介して駆動されるように構成されている請求項２記載の自動販売機。
【請求項４】
前記商品払出負荷には交流ソレノイドが含まれ、前記交流ソレノイドは前記交流ソレノイドの非駆動時に前記コンバータ回路から出力される直流電圧を所定の直流電圧まで充電し、前記交流ソレノイドの駆動時に前記交流ソレノイドに放電する充放電回路を介して駆動されるように構成されている請求項２記載の自動販売機。
【発明の詳細な説明】
【技術分野】
【０００１】
本発明は、自動販売機に関する。
【背景技術】
【０００２】
自動販売機には、商品の収納機構や払出し機構の違いによってサーペンタイン式、シースルー式、チェーンバーチカル式、直積み式等の複数の形式がある。
【０００３】
何れの形式であっても、自動販売機は、商品収納庫内に収容された商品を商品取出口に払い出す商品払出負荷と、商品収納庫内に収容された商品を冷却または加温する温調負荷と、商品選択装置から入力される操作情報に基づいて、商品収納庫に収容された複数種類の商品から対応する商品を払い出すように商品払出負荷を制御する制御装置と、商品払出負荷、温調負荷、及び制御装置に給電する電源装置等を備えている。
【０００４】
当該電源装置は、先端に電源プラグが取付けられた電力ケーブルを介して商用電源装置のコンセントから受電した交流電力の一部を交流負荷に直接給電し、他を負荷に対応した交流電圧や直流電圧に変換して給電するべく、変圧回路、整流回路、ＤＣレギュレータ回路等を備えている。
【０００５】
特許文献１には、商品を搬出するための搬出装置と、全体の制御を行うための制御装置と、その他の電力消費装置とを備え、商用電源により駆動される自動販売機であって、商用電源に接続されて蓄電する蓄電装置と、商用電源の停電を検出する停電検出装置と、停電が検出された時には蓄電装置を搬出装置と制御装置とに接続し、搬出装置と制御装置とのみを駆動可能にするスイッチ手段を備えた自動販売機が提案されている。
【０００６】
当該自動販売機によれば、商用電源の停電時に、搬出装置と制御装置とのみを駆動可能にし、照明灯及び温度制御装置等のように比較的大電力を消費する他の電力消費装置を駆動しないため、商用電源が比較的長時間停電しても販売の継続が可能になる。
【０００７】
また、特許文献２には、商用電源によって蓄電され、商用電源オフ時に放電する蓄電池を備えるとともに、商用電源で駆動される冷却装置と加温装置とは別に蓄電池で駆動される冷却装置と加温装置を備え、商用電源が切れても商品の冷却または加温を継続できる自動販売機が提案されている。
【先行技術文献】
【特許文献】
【０００８】
【特許文献１】特開平１０-１１６３７９号公報
【特許文献２】特開平４-２９４４８５号公報
【発明の概要】
【発明が解決しようとする課題】
【０００９】
上述した従来の自動販売機は、何れも商用電源から供給される電力で充電する蓄電池が組み込まれ、商用電源の停電時に蓄電池から所定の負荷に給電する、という緊急時に備えた電源回路構成が開示されているが、全ての負荷が蓄電池という直流電源で駆動されるものではなく、また、直流電源で駆動可能な負荷と交流電源で駆動可能な負荷の双方を備える必要がある等、機能やコスト的に満足できるものではなかった。
【００１０】
ところで、自動販売機に給電される商用電源は地域によって電圧や周波数が異なり、予め使用される地域の商用電源に対応して、電源装置や各種の負荷が選択されている。
【００１１】
例えば、日本国内では、電源の周波数が５０Ｈｚまたは６０Ｈｚとなる二つの地域が存在するために、それぞれに応じた電源装置を構成し、それぞれに応じた負荷を選択する必要があった。同様に、米国では商用電源の電圧が１２０Ｖ、周波数が６０Ｈｚであり、イギリスでは商用電源の電圧が２３０／２４０Ｖ、周波数が５０Ｈｚであり、それぞれに応じた電源装置を構成し、それぞれに応じた負荷を選択する必要があった。
【００１２】
このように、様々な地域で使用される自動販売機を製造するためには、各地域の商用電源に対応して電源装置や各種の負荷を選択して組み立てる必要があり、部品管理や工程管理が非常に煩雑になり、製造コストも嵩むという問題があった。
【００１３】
本発明の目的は、上述した問題点に鑑み、商用電源の定格値にかかわらず、各種の負荷を共通化して部品管理や工程管理を簡素化し、製造コストを低減可能な自動販売機を提供する点にある。
【課題を解決するための手段】
【００１４】
上述の目的を達成するため、本発明による自動販売機の第一の特徴構成は、特許請求の範囲の書類の請求項１に記載した通り、商品収納庫内に収容された商品を商品取出口に払い出す商品払出負荷と、前記商品収納庫内に収容された商品を冷却または加温する温調負荷と、商品選択装置から入力される操作情報に基づいて、前記商品収納庫に収容された複数種類の商品から対応する商品を払い出すように前記商品払出負荷を制御する制御装置と、前記商品払出負荷、温調負荷、及び制御装置に給電する電源装置と、を備えている自動販売機であって、前記電源装置は商用電源から入力される交流電圧を所定の直流電圧に変換するコンバータ回路を含み、少なくとも前記商品払出負荷及び温調負荷は前記コンバータ回路から出力される直流電圧により駆動されるように構成されている点にある。
【００１５】
上述の構成によれば、地域によって定格電圧や周波数が異なる商用電源の交流電圧が、電源装置に備えたコンバータ回路によって所定の直流電圧に変換され、当該コンバータ回路から出力される直流電圧によって商品払出負荷及び温調負荷が駆動されるようになる。従って、使用地域にかかわらず共通の商品払出負荷及び温調負荷を用いることができる。また、コンバータ回路から出力される所定の直流電圧で駆動可能な負荷を選択すればよく、部品の共通化を図りながら商品選択の範囲を広げることができる。
【００１６】
同第二の特徴構成は、同請求項２に記載した通り、上述の第一特徴構成に加えて、前記商品払出負荷または温調負荷の少なくとも一方には交流電圧で駆動される交流負荷が含まれ、前記コンバータ回路から出力される直流電圧により前記交流負荷を駆動するための駆動電圧制御回路が設けられている点にある。
【００１７】
商品払出負荷または温調負荷として交流負荷を選択する場合には、コンバータ回路から出力される直流電圧が駆動電圧制御回路によって制御された駆動電圧が出力され、当該駆動電圧によって当該交流負荷が適正に駆動されるようになる。
【００１８】
同第三の特徴構成は、同請求項３に記載した通り、上述の第二特徴構成に加えて、前記温調負荷にはコンプレッサを備えたヒートポンプ回路が含まれ、前記コンプレッサは前記コンバータ回路から出力される直流電圧を所定周波数の交流電圧に変換するインバータ回路を介して駆動されるように構成されている点にある。
【００１９】
温調負荷にコンプレッサが含まれる場合には、駆動電圧制御回路にインバータ回路を採用することによって、コンプレッサに適した所定周波数の交流電圧で駆動することができる。コンプレッサを商用電源で駆動する場合に比べて、効率がよくなることはいうまでもない。
【００２０】
同第四の特徴構成は、同請求項４に記載した通り、上述の第二特徴構成に加えて、前記商品払出負荷には交流ソレノイドが含まれ、前記交流ソレノイドは前記交流ソレノイドの非駆動時に前記コンバータ回路から出力される直流電圧を所定の直流電圧まで充電し、前記交流ソレノイドの駆動時に前記交流ソレノイドに放電する充放電回路を介して駆動されるように構成されている点にある。
【００２１】
商品払出負荷として用いられる交流ソレノイドは、鉄心がコイルの内外何れに位置しても大きなトルクを発生し且つ長いストロークで駆動する場合に好適なソレノイドとなる。このような交流ソレノイドであっても、駆動電圧制御回路にコンバータ回路から出力される直流電圧を所定の直流電圧まで充電し、前記交流ソレノイドの駆動時に前記交流ソレノイドに放電する充放電回路を採用することにより、直流駆動しながらも大きなトルクで長いストロークの駆動が可能になる。
【発明の効果】
【００２２】
以上説明した通り、本発明によれば、商用電源の定格値にかかわらず、各種の負荷を共通化して部品管理や工程管理を簡素化し、製造コストを低減可能な自動販売機を提供することができるようになった。
【図面の簡単な説明】
【００２３】
【図１】本発明による自動販売機の外扉を開放した状態の斜視図
【図２】本発明による自動販売機の側断面図
【図３】本発明による自動販売機の正面図
【図４】本発明による自動販売機の電源系統図
【図５】本発明による自動販売機の電源回路図
【発明を実施するための形態】
【００２４】
以下、缶飲料を商品とするサーペンタイン式の自動販売機を例に、本発明による自動販売機を図面に基づいて説明する。
【００２５】
図１及び図２に示すように、自動販売機１は、商品収納庫６が配置された本体２と、商品展示部等を備えた外扉３を備えている。本体２には開閉自在な内扉４を備えた断熱構造の内箱５が設けられ、内箱５の内部に缶飲料等の商品Ｇを蛇行状に積み上げて収納する商品収納庫６が構成されている。
【００２６】
内箱５は、幅方向に断熱性の仕切り壁５ａ〜５ｄで複数列に区画され、さらに奥行方向に沿って複数列に区画された商品収納通路７が形成されている。各商品収納通路７には、湾曲形成された板材でなる複数のセグメント７ａが、その凹部が上下に位置をずらせて対向するように、各通路７の手前側及び奥側に配列され、以って商品収納庫６が構成されている。
【００２７】
商品収納通路７の上部には商品を補充するための商品投入口６ａが形成され、商品投入口６ａから補充された商品は、商品収納通路７に沿って蛇行しながら下方に落下搬送され、商品収納通路７の下部に設置された商品払出機構６ｂによって受け止められる。
【００２８】
詳述しないが、商品払出機構６ｂは、商品収納通路７の最下段に位置する商品を受止め支持する下部支持部と、最下段から二段目に位置する商品を受止め支持する上部支持部と、それらを駆動する電磁ソレノイドを含む駆動機構を備えている。
【００２９】
駆動機構は後述する制御装置２５により制御され、下部支持部が下方に揺動して最下段に位置する商品を下方に払い出すときに、上部支持部が支持姿勢に揺動して最下段から二段目に位置する商品を支持し、下部支持部が支持姿勢に復帰した後に上部支持部が支持姿勢から退避して最下段から二段目に位置する商品が下部支持部によって支持される、という動作が商品払出しの度に繰り返される。
【００３０】
即ち、電磁ソレノイドが、商品収納庫６内に収容された商品Ｇを商品取出口１５に払い出す商品払出負荷の一例となる。
【００３１】
庫内の冷気または暖気が外部に漏れることを極力回避するため、上部内扉４ａのみ開放すれば商品投入口６ａに商品を補充できるように、内扉４は、商品投入口６ａに対向する上部内扉４ａと商品収納通路７に対向する下部内扉４ｂに分割構成され、それぞれが別々に開閉可能に本体２に取り付けられている。
【００３２】
内箱５の背面に通風用のダクト８が上下に延設され、ダクト８の上側通風口が内箱５の上端部側寄り部分に開口され、ダクト８の下側通風口が内箱５の底部寄り部分に開口されている。
【００３３】
内箱５の底部には冷却機構となるエバポレータ９、加温機構となるヒータ１０、送風機構となるファン１１が設置され、内箱５の下方で本体２の底部、つまり庫外にはコンプレッサ１２やコンデンサ１３が設置されている。エバポレータ９、コンプレッサ１２、コンデンサ１３等によってヒートポンプ回路が構成される。
【００３４】
本体２の底部には、さらに自動販売機１に組み込まれた各種の電気負荷、つまり、商品払出負荷、温調負荷、及び制御装置等に電力を供給する電源装置３０が設置されている。
【００３５】
商品収納通路７の下方には、商品払出機構６ｂによって払い出された商品Ｇを外扉３に備えた商品取出口１５に案内する商品払出用シュート１４が設置され、商品払出用シュート１４には、ファン１１で送り出される冷却または加温された空気を通すための多数の通風孔が形成されている。
【００３６】
ホット飲料の商品Ｇを販売する際にはヒータ１０が作動し、コールド飲料の商品Ｇを販売する際にはヒートポンプ回路が作動するように制御装置により切り替えられ、冷却または加温された空気がファン１１によって庫内５全体を循環するように構成されている。尚、仕切り壁５ａ〜５ｄで区画された商品収納庫６の一部をホット飲料の収納に、その他をコールド飲料の収納に分けて制御することも可能である。
【００３７】
即ち、コンプレッサ１２、ヒータ１０、ファン１１等が商品収納庫６内に収容された商品Ｇを冷却または加温する温調負荷の一例となる。
【００３８】
図３に示すように、外扉３の中央部から上方には、商品サンプルＳを展示する商品展示部３ａと、展示された各商品を選択する商品選択装置としての商品選択スイッチ３ｂが設けられ、下方には商品取出口１５が設けられている。
【００３９】
商品展示部３ａには、商品サンプルＳを設置するサンプル台や、商品サンプルＳを照明する複数の光源Ｌが取り付けられている。商品選択スイッチのキートップは、商品切れ報知ランプが目視可能になるように、透光性部材で構成されている。
【００４０】
また、正面右方には紙幣挿入部２０とコイン投入部２２が縦方向に配設され、紙幣挿入部２０から挿入された紙幣が紙幣識別装置２１（図４参照）によって識別され、コイン投入部２２から投入されたコインがコイン選別装置２３（図４参照）によって識別される。さらに下方にはコイン返却口２４が設けられている。
【００４１】
図１に示すように、外扉３の内側には自動販売機１を制御する制御装置２５や料金回収部２６などが取り付けられており、さらに各種設定情報を入力し、稼動状況データを集計するための集計装置２７等が取り付けられている。
【００４２】
即ち、制御装置２５によって、商品選択スイッチ３ｂから入力される操作情報に基づいて、商品収納庫６に収容された複数種類の商品Ｇから対応する商品が払い出されるように商品払出負荷が制御され、また温調負荷が駆動制御される。
【００４３】
図４には、自動販売機の電源系統が示されている。商用電源の入力側に漏電ブレーカＥＬＢを介して、コンバータ回路Ｒ１としてのＲ１のＤＣレギュレータが配置されている。当該ＤＣレギュレータによって任意の交流電圧からＤＣ２８０Ｖの直流電圧が生成される。
【００４４】
当該ＤＣレギュレータの後段に第２のＤＣレギュレータＲ２が設置され、当該第２のＤＣレギュレータＲ２によりＤＣ２４Ｖ及びＤＣ８Ｖの直流電圧が生成される。第２のＤＣレギュレータＲ２はスイッチングレギュレータで構成され、主に制御装置２５、コイン選別装置２３、紙幣識別装置２１、集計装置２７等の制御系の電源や、商品選択スイッチ３ｂ等のスイッチ類の電源に用いられる。
【００４５】
ＤＣ２８０Ｖの給電線には、庫内の商品払出機構に組み込まれた複数の電磁ソレノイドＳＬ、及び庫内下部に設置されたヒータ（ＨＴ）１０が接続され、さらに、ＤＣ２４Ｖの給電線には、庫内下部に設置された複数のファン（Ｆ）１１が接続されている。本実施形態では、仕切り壁５ａ〜５ｄで区画された商品収納庫６が３領域に分離され、各領域単位で加温または冷却できるように、ファン（Ｆ）１１及びヒータ（ＨＴ）１０が３セット配置されている。ファン（Ｆ）１１はＤＣ２４Ｖで駆動される直流モータが組み込まれ、ヒータ（ＨＴ）１０はＤＣ２８０Ｖで駆動されるシーズヒータで構成されている。
【００４６】
さらに、ＤＣ２８０Ｖの給電線には、庫外に設置されたコンプレッサ（ＣＭＰ）１２を駆動するためのインバータＩＮＶが接続されるとともに、冷媒の流路切替のための複数のソレノイドバルブＳＶが接続されている。
【００４７】
ＤＣ２４Ｖの給電線には、制御装置２５、コイン選別装置２３、紙幣識別装置２１、集計装置２７等のマイクロコンピュータが組み込まれた制御ブロックが接続されるとともに、商品展示部３ａに設置された複数の光源Ｌ、及び商品展示部３ａに配列された複数の商品選択スイッチ（ＳＷ）、さらには商品収納通路７内の商品の有無を検知する複数の商品検知スイッチ（ＳＷ）が接続されている。当該光源ＬにはＬＥＤランプが用いられている。
【００４８】
ＤＣ８Ｖの給電線には、商品展示部３ａに配列されたＬＥＤで構成された商品切れ報知ランプや、制御ブロックの制御用電源回路が接続され、各制御用電源回路にはＤＣ８ＶからＤＣ５Ｖ等の制御電圧を生成するレギュレータが設置されている。
【００４９】
上述の電源装置３０には、漏電ブレーカＥＬＢ、第１のＤＣレギュレータＲ１、第２のＤＣレギュレータＲ２が組み込まれ、電源装置３０から延びるワイヤーハーネスによって各負荷に直流電圧が印加されるように構成されている。また、制御装置２５、集計装置２７の制御ブロックから延びるワイヤーハーネスによって各負荷に制御信号が伝達され、各スイッチからの状態信号が制御装置２５または集計装置２７に入力される。尚、制御装置２５、コイン選別装置２３、紙幣識別装置２１、集計装置２７間には制御用データの送受信のためのシリアル伝送線が接続されている。
【００５０】
つまり、電源装置３０は商用電源から入力される交流電圧を所定の直流電圧に変換するコンバータ回路を含み、少なくとも商品払出負荷及び温調負荷がコンバータ回路から出力される直流電圧により駆動されるように構成されている。
【００５１】
図５（ａ）には、第１のＤＣレギュレータＲ１の基本的な回路ブロックが示されている。商用電源３１から入力された交流電圧がダイオードブリッジ回路３２によって全波整流され、さらに高周波チョークコイルを備えたアクティブフィルタ回路３３を介して所定電圧に調圧された後、平滑コンデンサ３４で平滑され、安定化回路３５で目標の直流電圧が生成される。尚、本回路は基本構成を説明するための例示に過ぎず、実際の回路は例示の構成に限定されるものではない。
【００５２】
このような構成が採用されているため、地域によって定格電圧や周波数が異なる商用電源の交流電圧が、電源装置３０に備えたコンバータ回路によって所定の直流電圧に変換され、当該コンバータ回路から出力される直流電圧によって商品払出負荷及び温調負荷が駆動されるようになる。
【００５３】
従って、使用地域にかかわらず共通の商品払出負荷及び温調負荷を用いることができ、また、コンバータ回路から出力される所定の直流電圧で駆動可能な負荷を選択すればよく、部品の共通化を図りながら商品選択の範囲を広げることができるのである。
【００５４】
商品払出負荷及び温調負荷の全てが直流電圧で駆動される負荷に限るものではなく、交流電圧で駆動される交流負荷が含まれていてもよい。コンバータ回路から出力される直流電圧により交流負荷を駆動するための駆動電圧制御回路が設けられていればよい。
【００５５】
例えば、温調負荷であるコンプレッサ１２は、第１のＤＣレギュレータＲ１から出力されるＤＣ２８０Ｖの直流電圧を、駆動電圧制御回路の一例であるインバータ回路を介して駆動されるように構成されている。
【００５６】
そのため、交流電動機であっても効率良く駆動制御することができる。尚、所定周波数の交流電圧に変換するインバータ回路には、ＤＣ２８０Ｖの直流電圧を所定のＤＣ電圧に変換する昇圧コンバータ回路または降圧コンバータ回路でなるＤＶ−ＤＣコンバータ回路と、所定周波数の交流電圧を生成するためにインバータ回路を制御する制御部が組み込まれている。
【００５７】
また、例えば、商品払出負荷である電磁ソレノイドＳＬには交流ソレノイドが用いられている。商品搬出前にはソレノイドの鉄心（プランジャー）がバネ付勢されてコイル外に位置している。商品搬出時にコイルに交流電圧を印加すると、鉄心がコイルによって吸引され、一定時間経過後に交流電圧をオフすると元の位置に復帰する。
【００５８】
鉄心がコイルの外部に位置するときにコイルに交流を印加すると、コイルの抵抗Ｒ成分を主体とするインピーダンスになるため、大きな電流が流れて十分な吸引力が発生する。鉄心がコイル内に吸引されると、コイルＬ成分が増加するため、インピーダンスが低下して電流が少なくなるが吸引力は維持される。このため、交流ソレノイドは、鉄心がコイルの内外何れに位置しても大きなトルクを発生し且つ長いストロークで駆動する場合に好適なソレノイドとなる。
【００５９】
このような交流ソレノイドを直流で駆動する場合にはコイルＬ成分が無くなるため、鉄心がコイルの外部に位置するときにはコイルに大きな電流を流して十分な吸引力を確保するべく印加電圧を高くし、鉄心がコイル内に吸引されると電流を小さくするべく印加電圧を低くすればよい。
【００６０】
そこで、駆動電圧制御回路として、コンバータ回路から出力される直流電圧を所定の直流電圧まで充電し、前記交流ソレノイドの駆動時に前記交流ソレノイドに放電する充放電回路を採用すれば、直流駆動しながらも大きなトルクで長いストロークの駆動が可能になる。
【００６１】
図５（ｂ）には、このような駆動電圧制御回路が例示されている。スイッチＳＷ２をオフした状態でＳＷ１のオン時間を制御して、第１のＤＣレギュレータＲ１から蓄電素子である電解コンデンサＣを所定電圧、例えばＤＣ１００Ｖまで充電しておく。その後、商品払出し時にスイッチＳＷ２をオンして放電させ、ソレノイドＳＬに直流電圧を印加する。ソレノイドＳＬの抵抗成分とコンデンサＣの容量とで定まる時定数でソレノイドＳＬへの印加電圧が次第に低下する。
【００６２】
例えば、図５（ｃ）に示すように、ソレノイドＳＬの駆動時間の初期にＤＣ１００Ｖ、終期にＤＣ５０Ｖ程度に半減するような時定数で回路を設計すれば、このような制御が実現できるのである。尚、これらの電圧値は例示であり、この値に制限されるものではない。
【００６３】
つまり、交流ソレノイドの非駆動時にコンバータ回路から出力される直流電圧を所定の直流電圧まで充電し、交流ソレノイドの駆動時に交流ソレノイドに放電する充放電回路で駆動電圧制御回路を構成すればよい。
【００６４】
図４に示すソレノイドＳＬは、制御装置２５により制御され、このような駆動電圧制御回路を介して駆動される。尚、ソレノイドＳＬは第１のＤＣレギュレータＲ１の給電線に接続されるばかりでなく、第２のＤＣレギュレータＲ２のＤＣ２４Ｖの給電線に接続されていてもよい。
【００６５】
この場合、図５（ｂ）に示すＤＣレギュレータとスイッチＳＷ１の間にＤＣ２４ＶからＤＣ１００Ｖに昇圧する昇圧回路を設ければよい。別の態様として、昇圧回路を設けずに、コンデンサＣを４つ並列に接続して、それぞれのコンデンサＣを充電した後に、各コンデンサＣを直列に接続するスイッチ回路を設けてもよい。
【００６６】
さらに、商品展示部３ａに設置された複数の光源Ｌに蛍光灯を用いる場合には、駆動電圧制御回路として、第１のＤＣレギュレータＲ１から出力される直流電圧を交流電圧に変換するインバータを組み込めばよい。
【００６７】
上述した実施形態では、第１のＤＣレギュレータＲ１から出力される直流電圧からそれよりも低圧の直流電圧を生成する第２のＤＣレギュレータＲ２を設けた電源装置を説明したが、第２のＤＣレギュレータＲ２は、商用電源からトランスを介して降圧した交流電圧に対して、整流回路及び平滑コンデンサを介して平滑化した直流電圧からＤＣ２４Ｖ，ＤＣ８Ｖを生成するスイッチングレギュレータやシリーズレギュレータを用いて構成してもよい。
【００６８】
さらに、第１のＤＣレギュレータＲ１の出力を充電する蓄電装置を設けて、商用電源の停電時に蓄電装置から各負荷に電力を供給するように構成してもよい。この場合、第１のＤＣレギュレータＲ１及び負荷と蓄電装置との間に電圧調整用の昇圧及び降圧回路を設けて、充電時には降圧回路を介して降圧した電圧で蓄電装置を充電し、放電時には昇圧回路を介して昇圧した電圧で負荷に給電するように構成してもよい。
【００６９】
上述した実施形態では、缶飲料用のサーペンタイン式の自動販売機を例示説明したが、本発明が適用される自動販売機はサーペンタイン式の自動販売機に限るものではなく、シースルー式、チェーンバーチカル式、直積み式等の複数の形式の自動販売機にも適用できる。また、商品も缶飲料に限るものではない。
【００７０】
また、シースルー式、チェーンバーチカル式、直積み式等の形式によって具体的な商品払出負荷も異なる。また、温調負荷としてヒータとヒートポンプ回路の双方を備えている必要は無く、何れか一方のみ備えていればよい。
【００７１】
上述した実施形態は、何れも本発明の一例であり、該記載により本発明が限定されるものではなく、各部の具体的構成は本発明の作用効果が奏される範囲で適宜設計可能であることはいうまでもない。
【符号の説明】
【００７２】
１：自動販売機
６：商品収納庫内
６ｂ：商品払出機構
９：エバポレータ
１０：温調負荷（シーズヒータ）
１１：温調負荷（ファン）
１２：温調負荷（コンプレッサ）
１３：コンデンサ
１５：商品払出口
３０：電源装置
Ｒ１：コンバータ回路（第１のＤＣレギュレータ）
Ｒ２：コンバータ回路（第２のＤＣレギュレータ）
【図１】
2013200587.tif 000003
【図２】
2013200587.tif 000004
【図３】
2013200587.tif 000005
【図４】
2013200587.tif 000006
【図５】
2013200587.tif 000007